(57)【要約】本発明は、可動家具部分（２）の駆動装置（１）に関し、この装置は、可動家具部分（２）を閉位置（ＳＳ）から開位置（ＯＳ）へと移動させるための駆出要素（３）と、駆出要素（３）に作用力を及ぼす駆出作用力保存手段（４）と、ロック要素（６）を介してロック部分（Ｖ）にて駆出要素（３）をロックするためのロック装置（５）とを含んでおり、可動家具部分（２）を閉方向（ＳＲ）にて閉位置（ＳＳ）から過剰押込位置（UＳ）へと過剰に押し込むことによって、ロック装置（５）がロック解除され、可動家具部分（２）が開方向（ＯＲ）にて駆出作用力保存手段（４）と駆出要素（３）とによって可動となり、ロック装置（５）は、ロック要素（６）のための予備ロック部分（ＶＶ）を有しており、可動家具部分（２）をその閉動作時に、閉方向（ＳＲ）において閉位置（ＳＳ）の後方の通過押込位置（ＤＳ）へと押し込むことで、通過押込回避部分（Ｄ）を介して、ロック要素（６）が予備ロック部分（ＶＶ）からロック部分（Ｖ）へ移動する。【選択図】図８
2016514576.tif 000002
【特許請求の範囲】
【請求項１】
可動家具部分（２）の駆動装置（１）であって、本装置は、
前記可動家具部分（２）を閉位置（ＳＳ）から開位置（ＯＳ）へと移動させるための駆出要素（３）と、
前記駆出要素（３）に作用力を及ぼす駆出作用力保存手段（４）と、
ロック要素（６）を介してロック部分（Ｖ）にて前記駆出要素（３）をロックするためのロック装置（５）とを含んでおり、前記可動家具部分（２）を閉方向（ＳＲ）にて前記閉位置（ＳＳ）から過剰押込位置（UＳ）へと過剰に押し込むことによって、前記ロック装置（５）がロック解除され、前記可動家具部分（２）が開方向にて前記駆出作用力保存手段（４）と前記駆出要素（３）とによって可動となり、
前記ロック装置（５）は、前記ロック要素（６）のための予備ロック部分（ＶＶ）を有しており、前記可動家具部分（２）をその閉動作時に、閉方向（ＳＲ）において前記閉位置（ＳＳ）の後方の通過押込位置（ＤＳ）へと押し込むことで、通過押込回避部分（Ｄ）を介して、前記ロック要素（６）が前記予備ロック部分（ＶＶ）から前記ロック部分（Ｖ）へ移動することを特徴とする駆動装置。
【請求項２】
前記ロック部分（Ｖ）は、前記予備ロック部分（ＶＶ）とは異なっており、前記予備ロック部分（ＶＶ）は、閉方向（ＳＲ）において前記ロック部分（Ｖ）の後方に存在していることを特徴とする請求項１記載の駆動装置。
【請求項３】
前記ロック装置（５）は、好適にはピン形状の前記ロック要素（６）のための、好適にはカージオイド形状のガイド経路（７）を有しており、前記ロック要素（６）は、好適にはカージオイド形状の前記ガイド経路（７）の、好適には溝形状のラッチ領域（８）にて前記ロック位置（Ｖ）に保持できることを特徴とする請求項１または２記載の駆動装置。
【請求項４】
前記ガイド経路（７）は好適には直線状の応力付与部分（Ｓ）、好適には曲状の曲り部分（Ｌ）、前記予備ロック部分（ＶＶ）、好適には溝形状のラッチ領域（８）の形態である前記ロック部分（Ｖ）、傾斜した湾曲部分またはロック解除部分（Ｅ）、および駆出部分（Ａ）を連続して有していることを特徴とする請求項１から３のいずれかに記載の駆動装置。
【請求項５】
前記傾斜したロック解除または湾曲部分（Ｅ）と前記駆出部分（Ａ）との間に、前記ガイド経路（７）は、前記ロック要素（６）のための前記通過押込回避部分（Ｄ）とは別な第２の回避部分（Ｗ）を有していることを特徴とする請求項４記載の駆動装置。
【請求項６】
前記ロック要素（６）のための保持要素（９）が、前記予備ロック部分（ＶＶ）内に配置または提供されていることを特徴とする請求項１から５のいずれかに記載の駆動装置。
【請求項７】
前記予備ロック部分（ＶＶ）内で、前記ガイド経路（７）は前記保持要素（９）として、前記ロック要素（６）のために直線状の接触面（Ｆ）を有していることを特徴とする請求項１から６のいずれかに記載の駆動装置。
【請求項８】
前記保持要素（９）は、好適には回転ダンパの形態である可動制動要素（１０）であることを特徴とする請求項６記載の駆動装置。
【請求項９】
前記制動要素（１０）は、制動的に回転可能に取り付けられたギヤ（１１）を有しており、該ギヤ（１１）の少なくとも一つの歯部（１２）が前記ロック要素（６）によって前記予備ロック部分（ＶＶ）で接触でき、前記ロック部分（Ｖ）の方向に制動的に可動であることを特徴とする請求項８記載の駆動装置。
【請求項１０】
前記駆出作用力保存手段（４）は、前記可動家具部分（２）を開方向（ＯＲ）および/または閉方向（ＳＲ）に移動させることによって荷重できることを特徴とする請求項１から９のいずれかに記載の駆動装置。
【請求項１１】
前記駆出要素（３）は、前記駆出作用力保存手段（４）が限界まで荷重された後にのみ、前記ロック要素（６）を介して前記予備ロック部分（ＶＶ）にロック可能であることを特徴とする請求項１０記載の駆動装置。
【請求項１２】
前記可動家具部分（２）を開位置（ＯＳ）から前記閉位置（ＳＳ）に引き込むための引込装置（１３）を有していることを特徴とする請求項１から９のいずれかに記載の駆動装置。
【請求項１３】
前記ロック要素（６）が前記予備ロック部分（ＶＶ）に到達したとき、前記可動家具部分（２）は開位置（ＯＳ）にあり、前記可動家具部分（２）はその開位置（ＯＳ）から前記閉位置（ＳＳ）へと前記引込装置（１３）によって移動可能であることを特徴とする請求項１２記載の駆動装置。
【請求項１４】
前記ロック要素（６）は、前記引込装置（１３）による前記可動家具部分（２）の前記閉位置（ＳＳ）への移動時にのみ、前記予備ロック部分（ＶＶ）から前記ロック部分（Ｖ）へと移動可能であることを特徴とする請求項１２または１３記載の駆動装置。
【請求項１５】
前記ロック要素（６）が、前記引込装置（１３）の作用によって、前記予備ロック部分（ＶＶ）から前記ロック部分（Ｖ）へと移動可能であることを特徴とする請求項１４記載の駆動装置。
【請求項１６】
家具筐体（１５）、該家具筐体（１５）に対して可動な家具部分（２）、および該可動家具部分（２）のための請求項１から１５のいずれかに記載の駆動装置（１）を含んだ家具（１４）。
【請求項１７】
前記駆動装置（１）を前記可動家具部分（２）上に配置し、前記駆出要素（３）と係合できる同伴部分（１６）を前記家具筐体（１５）上に配置したことを特徴とする請求項１６記載の家具。
【発明の詳細な説明】
【技術分野】
【０００１】
本発明は、可動家具部分の駆動装置に関し、本装置は、可動家具部分を閉位置から開位置へと移動させるための駆出要素と、駆出要素に作用力を及ぼす駆出作用力保存手段と、ロック要素を介してロック部分にて駆出要素をロックするためのロック装置とを含んでおり、可動家具部分を閉方向にて閉位置から過剰押込位置へと過剰に押し込むことによって、ロック装置がロック解除され、可動家具部分が開方向にて駆出作用力保存手段と駆出要素とによって可動となる。本発明は、家具筐体と、家具筐体に対して可動な可動家具部分と、本発明による可動家具部分の駆動装置とを含んだ家具にも関する。
【背景技術】
【０００２】
可動家具部分（例えば引出し）を押し込むことで、可動家具部分の家具筐体からのロック解除が発生し、可動家具部分が開かれる、すなわち駆出されるという駆動装置は、長年にわたって家具装着具業界において既に知られている。そのような駆動装置はいわゆるタッチラッチ機構を有している。この機構では、開位置からの引出しの閉動作と、閉位置からの引出しのロック解除、すなわち開動作が同じ方向、すなわち閉方向となる。通常の（手動または引込装置による）穏やかな閉動作の場合には、引出し、または可動家具部分はロック装置によって閉位置に保たれる。しかしながら、引出しが過剰に強く閉じられた場合、またはエンドアバットメント（端部当接部）まで押し込まれた場合には、駆動装置はもはや全くロックできないか、または直ちに再起動され、その結果、可動家具部分のそのような不正な操作の場合には、引出しを確実に閉じておくことが保証できない。
【０００３】
この問題を解決するため、先の優先日を有するが、優先公開物ではないオーストリア特許出願Ａ５２/２０１２から、過剰に速い閉動作の場合の過剰押込位置への移動を防止するための阻止要素が知られている。
【発明の概要】
【発明が解決しようとする課題】
【０００４】
本発明の目的は、可動家具部分を押し込み過ぎることによる、不正な操作の場合でも、駆動装置の直接起動またはロック解除を防止する別な可能な方法を提供することである。
【課題を解決するための手段】
【０００５】
これは、請求項１による駆動装置によって達成される。したがって、ロック装置は、ロック要素のための予備ロック部分（予備的にロック動作を補助する部分）を有しており、可動家具部分をその閉動作時に、閉方向において閉位置の後方の通過押込位置へと押し込むことで、通過押込回避部分を介して、ロック要素が予備ロック部分からロック部分へ移動する。このように、最初のロック時に、ロック要素は直ちにロック部分へ移動せず、それ自体の通過押込回避部分を有する予備ロック部分に保たれ、そこからロック要素は直接駆出されることはできないが、先ず実際のロック部分へと移動する。これを可能にするためには、ロック部分が予備ロック部分とは異なっていなければならない。特にロック部分が、可動家具部分の開方向において、予備ロック部分から離れていなければならない。換言すれば、予備ロック部分は、閉方向においてロック部分の後方に存在している。
【０００６】
それ自体ではそのような通過押込保護構造は、例えばボールペン原理に基づく機構のようなタッチラッチ機構の多様な設計形態において適切に利用できる。しかしながら、好適にはロック装置は、好適にはピン形状のロック要素のための、好適にはカージオイド形状のガイド経路を有しており、ロック要素は、好適にはカージオイド形状のガイド経路の、好適には溝形状（トラフ形状）のラッチ領域にてロック位置に保持またはロックできる。好適には、そのようなカージオイド形状のガイド経路を有するロック装置の設計形態では、ガイド経路は好適には直線状の応力付与部分、好適には曲状の曲り部分、予備ロック部分、好適にはトラフ形状のラッチ領域（ラッチ凹部）の形態であるロック部分、傾斜した湾曲部分またはロック解除部分、および駆出部分を連続して有している。通常の駆出またはロック解除も可能にするため、好適には、傾斜したロック解除または湾曲部分と駆出部分との間に、ガイド経路は、ロック要素のための通過押込回避部分とは別な第２の回避部分を有している。
【０００７】
本発明の特に好適な実施態様によれば、ロック要素のための保持要素が、予備ロック部分内に配置または提供されている。
【０００８】
保持要素の第１の変形例によれば、予備ロック部分内で、ガイド経路は保持要素として、ロック要素のために直線状の接触面を有している。直線状の接触面は、ロック要素に対する駆出作用力保持手段からの作用力が、ロック要素をその直線状の接触面上に保持するように配向されている。好適には、作用力は通常は実質的に垂直にこの接触面に作用する。
【０００９】
保持要素の第２の変形例として、保持要素は、好適には回転ダンパの形態である可動制動（緩衝）要素の形態である。当然ながら、回転ダンパの代わりに、並進運動等で可動な制動ピストンを利用することも可能である。この制動要素のために、制動要素は好適には制動的に回転可能に取り付けられたギヤ（歯車）を有しており、そのギヤの少なくとも一つの歯部がロック要素によって予備ロック部分で接触でき、ロック部分の方向に制動的に可動である。したがって、ロック要素はその制動要素で予備ロック部分に静止状態で保持されず、ロック部分の方向にゆっくりと移動する。したがって、ロック要素が制動要素とまだ接触しているときに、可動家具部分が通過押込位置へと押し込まれた場合には、ロック要素は、傾斜した湾曲部分またはロック解除部分を介して、駆出部分へと直接的に移動する代わりに、先ず通過押込回避部分へ逸れる。
【００１０】
それ自体は知られているが、駆出作用力保存手段は、可動家具部分を開方向および/または閉方向に移動させることによって荷重（エネルギー付与）できる。好適には本発明では、駆出要素は、駆出作用力保存手段の完全な荷重化後にのみ、ロック要素を介して予備ロック部分にロック可能である。換言すれば、駆出作用力保存手段は、予備ロック部分にロック要素を介してロックした時に十分に応力付与される。
【００１１】
好適には、駆動装置は、可動家具部分を開位置から閉位置に引き込むための引込装置を有しており、この場合には、ロック要素が予備ロック部分に到達したとき、可動家具部分は開位置にあり、可動家具部分はその開位置から閉位置へと引込装置によって移動可能である。
【００１２】
特に、保持要素が直線状の接触面の形態である場合、好適にはロック要素のロック位置への移動のため、ロック要素は、引込装置による可動家具部分の閉位置への移動時にのみ、予備ロック部分からロック部分へと移動可能である。この点において、ロック要素が、引込装置の作用によって、予備ロック部分からロック部分へと移動可能であるなら特に有利である。
【００１３】
特許保護は、請求項１６記載の特徴を有する家具にも請求される。原則的に、この場合には駆動装置を家具筐体上に配置でき、駆出要素を介して可動家具部分を駆出できる。しかしながら、駆動装置を可動家具部分上に配置し、駆出要素と係合できる同伴部分を家具筐体上に配置することが好適である。このようにして、引出しがそれ自体を駆動装置によって家具筐体からいわば押し離す。
【００１４】
本発明のさらなる詳細と利点は、図面で解説される実施例に関する詳細な説明によって以降でさらに詳説される。
【図面の簡単な説明】
【００１５】
【図１】家具筐体内の可動家具部分の多様な位置を概略的に示している。
【図２】駆動装置の第１実施例の分解図である。
【図３】ガイド経路の多様な位置にあるロック要素を備えた駆動装置を示している。
【図４】ガイド経路の多様な位置にあるロック要素を備えた駆動装置を示している。
【図５】ガイド経路の多様な位置にあるロック要素を備えた駆動装置を示している。
【図５ａ】ガイド経路の多様な位置にあるロック要素を備えた駆動装置を示している。
【図５ｂ】ガイド経路の多様な位置にあるロック要素を備えた駆動装置を示している。
【図６】ガイド経路の多様な位置にあるロック要素を備えた駆動装置を示している。
【図６ａ】ガイド経路の多様な位置にあるロック要素を備えた駆動装置を示している。
【図６ｂ】ガイド経路の多様な位置にあるロック要素を備えた駆動装置を示している。
【図７】ガイド経路の多様な位置にあるロック要素を備えた駆動装置を示している。
【図７ａ】ガイド経路の多様な位置にあるロック要素を備えた駆動装置を示している。
【図８】ガイド経路の多様な位置にあるロック要素を備えた駆動装置を示している。
【図９】ガイド経路の多様な位置にあるロック要素を備えた駆動装置を示している。
【図１０】ガイド経路の多様な位置にあるロック要素を備えた駆動装置を示している。
【図１１】ガイド経路の多様な位置にあるロック要素を備えた駆動装置を示している。
【図１２】ガイド経路の多様な位置にあるロック要素を備えた駆動装置を示している。
【図１３】ガイド経路の多様な位置にあるロック要素を備えた駆動装置を示している。
【図１４】予備ロック部分内の制動要素を備えた駆動装置の第２の実施例を示している。
【図１４ａ】予備ロック部分内の制動要素を備えた駆動装置の第２の実施例を示している。
【図１５】予備ロック部分内の制動要素を備えた駆動装置の第２の実施例を示している。
【発明を実施するための形態】
【００１６】
図１は、家具筐体１５と、全部で４体の可動家具部分２とを含んだ家具１４を概略的に示している。それぞれの可動家具部分２は、少なくとも一つの引出し収容体１７と前方パネル１８とを含んでいる。可動家具部分２は、引出しレール１９、筐体レール２０およびオプションで中央レール（図示せず）を含んだ延出ガイド手段２１を介して家具筐体１５に取り付けられている。最上の引出しに関して、駆動装置１は、駆出要素３、ガイド経路７内で可動なロック要素６、および駆出作用力保存手段４と共に、可動家具部分２、またはその引出しレール１９上に固定または配置されている。ロック装置５は、ガイド経路７とロック要素６とによって形成されている。筐体レール２０または家具筐体１５自体の上には、駆出要素３が少なくとも部分的に係合する同伴部分１６が配置されている。最上の引出しは開位置ＯＳにある。引出しがこの開位置ＯＳから閉方向ＳＲにさらに移動すると、ロック要素６がガイド経路７の予備ロック部分ＶＶに移動する（以降で解説する図５で詳説する）。この位置で（上から２番目の引出し）、駆出作用力保存手段が完全に応力付与され、可動家具部分２が延出ガイド手段２１に一体化された引込装置１３（概略的にのみ図示）によって閉位置ＳＳ（上から３番目の引出し）に移動できる。通常のロック解除および開プロセスにおいては、この閉位置ＳＳから開始して、可動家具部分２は過剰押し込み位置UＳ（図１では最下の引出し）へと移動する。この過剰押し込み位置は、可動家具部分２に対して通過押込位置ＤＳにも正確に対応している。しかしながらこの構造では、ロック要素６は異なる部分（通過押込回避部分Ｄまたは第２の回避部分Ｗ）で駆動装置１に配置されている。閉方向ＳＲにて実行される通常の過剰押し込み作用の後、可動家具部分２が駆動装置１によって開方向ＯＲに駆出される。
【００１７】
図２は、駆動装置１の第１の実施例の必須部材を示す分解図である。駆動装置１は、基部プレート２３を介して可動家具部分２または引出しレール１９に固定される。一方、カバー２２は基部プレート２３に取り付けられる。基部プレート２３内には、応力付与部分Ｓ、曲り部分Ｌ、予備ロック部分ＶＶ、通過押込回避部分Ｄ、ロック部分Ｖ、傾斜した湾曲部分およびロック解除部分Ｅ、第２の回避部分Ｗ、および駆出部分Ａを備えたガイド経路７が提供されている。家具筐体１５に対する閉位置ＳＳでの基部プレート２３の位置は、深さ調節ホイール２４によって調節できる。駆出要素３はカバー２２と基部プレート２３それぞれに対して可動に取り付けられる。駆出作用力保存手段４は、片側でバネ基部２５を介して基部プレート２３に、また別側でバネ基部２６を介して駆出要素３に保持される。駆出作用力保存手段４は引張バネの形態である。駆出要素３には、そこでロックレバー２８が回転軸Ｘを介して回転可能に支持される回転ベアリング２７が配置される。ロックレバー２８の前端には、ピン形状であり、ガイド経路７に係合するロック要素６が配置される。引込スライダ３０は駆出要素３に部分的に接続され、捕捉アーム２９がスライダ３０に回転可能に取り付けられる。さらに引込スライダ３０は、ラッチ係合アバットメント３５とアバットメント３２とを有しており、一方、突起部３４と旋回アバットメント３３はロックレバー２８に提供される。
【００１８】
図３は、可動家具部分２が開位置ＯＳにあるときの駆動装置１を示している。この場合には、捕捉アーム２９はその解除位置に旋回される。駆出作用力保存手段４は応力から解放されている。ロック要素６は、ガイド経路７の応力付与部分Ｓの始まり部分で、その当初位置にある。
【００１９】
図４に示すように、駆動装置１を備えた可動家具部分２が閉方向ＳＲに移動すると、筐体に対して固定されている同伴部分１６が引込要素３０に突き当たって、カバー２３に対して、引込スライダ３０に連結されている駆出要素３を移動させ、この場合には、ロック要素６が応力付与部分Ｓに沿って移動し、同時に駆出要素３に固定されている駆出作用力保存手段４が応力付与される。この閉動作において、同伴部分１６が、捕捉位置にある捕捉アーム２９と引込装置との間の捕捉領域３１に保持または捕捉される。
【００２０】
通常の場合には手動であるこの閉動作は、図５に示す位置（まだ開位置ＯＳ）に到達するまで継続される。ロック要素６が曲り部分Ｌの曲形状のおかげで予備ロック部分ＶＶの方向に移動するという事実によって、ロックレバー２８全体も回転軸Ｘ周囲で反時計回り方向に旋回し、引込スライダ３０のアバットメント３２がロックレバー２８上で突起部３４との係合が外れるが、これは、駆出要素３が引込スライダ３０から脱連結されて、手動による作用力の適用から外れることを意味する。そのような脱連結が発生するとすぐに、完全に応力付与状態である駆出作用力保存手段４の作用力がロック要素６に直接作用する。この瞬間に、ロック要素６は予備ロック部分ＶＶに正確に存在するので、駆出作用力保存手段４の作用力が、ガイド経路７の保持要素９を形成する直線状の接触面Ｆにほぼ垂直に作用する。このように、図５に示すこの位置において、駆出要素３が予備ロック部分ＶＶでロックされる（詳細は図５ａ参照）。図５ｂの詳細図は、旋回アバットメント３３が角度αだけまだ突出している状態をさらに示している。
【００２１】
続いて、図４では概略的にのみ示されている引込装置１３が、可動家具部分２を駆動装置１と共に閉方向ＳＲにさらに移動させることができる。その動作中に引込スライダ３０上のラッチ係合アバットメント３５がロックレバー２８の旋回アバットメント３３と突き当たると（図６ｂ参照）、ロックレバー２８が回転軸Ｘ周囲で反時計回り方向にさらに旋回し、ロック要素６が予備ロック部分ＶＶから外れ、ロック部分Ｖを形成しているトラフ形状のラッチ領域８の方向に移動する（図６ａ参照）。
【００２２】
ロック要素６を予備ロック部分ＶＶから解除すると、引込装置１３がいわばその最終“作用”を実行し、それによって、図７に示すようにロック要素６が駆出作用力保存手段４の僅かな応力解放によってロック位置Ｖへと移動する。このようにして、可動家具部分２は閉位置ＳＳに存在する。図７ａに示すように、旋回アバットメント３３もまた、駆出作用力保存手段４の僅かな応力解放動作のおかげで、ラッチ係合アバットメント３５から再び少々持ち上げられる。
【００２３】
図３から図７では、不正な操作が発生しない通常の閉動作のプロセスを解説している。しかしながら、駆出作用力保存手段４が応力付与されてもすぐには手動の閉動作は停止せず、可動家具部分２が閉位置ＳＳに押し込まれ、さらに、それを越えて図８に示す通過押込位置ＤＳに押し込まれ、ロック要素６は予備ロック部分ＶＶから通過押込回避部分Ｄに、引込スライダ３０がカバー２３内のガイド経路３６の端部３７に当接するまで、または前方パネル１８が家具筐体１５に衝突するまで移動される。
【００２４】
最終的に、不正な操作に気付かれたら、または可動家具部分２が誤って完全に手動で実行された閉手順のおかげで解放されたなら、駆出作用力保存手段４の応力解放によって、ロック要素６が通過押込回避部分Ｄからロック部分Ｖに通過し、そして図９に示す閉位置ＳＳに到達する。図９に示すこの位置は、図７に示す位置に再び対応する。
【００２５】
閉位置ＳＳから開始して、ロック装置５は何時でもユーザによって可動家具部分２を閉方向ＳＲに過剰に押し込むことでロック解除できる。この場合には、それ自体知られているが、ロック要素６が湾曲したロック解除部分Ｅによって第２の回避部分Ｗ（図１０参照）に移動されることで、図１０に示す過剰押し込み部分UＳに到達する。
【００２６】
その後、手動によるロック解除動作が終了するとすぐ、駆出作用力保存手段４が駆出要素３をカバー２３または基部プレート２３に対して引っ張ることで、可動家具部分２が駆出されるか、または可動家具部分２に固定された駆動装置１がそれ自体を筐体に対して固定された同伴部分１６から押し離す。この場合には、ロック要素６がガイド経路７の駆出部分Ａに沿って移動し、可動家具部分２が図１１の開位置ＯＳに移動する。
【００２７】
さらなる開動作で、引込スライダ３０が駆出要素３に再び連結され、この場合には、ロックレバー２８が旋回し、ロック要素６がその当初位置の方向に再び移動する。
【００２８】
同時に図１２に示すように、同伴部分１６が捕捉アーム２９の旋回運動によって再び解放される。
【００２９】
図１３で、ロック要素６はその当初位置に再び存在し、捕捉アーム２９は再び完全に開かれ、開位置ＯＳにある可動家具部分２は、同伴部分１６とは無関係に自由に移動できる。
【００３０】
直線状の接触面Ｆの形態である保持要素９の代わりに、図１３では保持要素９は制動要素１０、さらに特定すれば、ギヤ１１の形態である。ギヤ１１はその歯部で、ガイド経路７の予備ロック部分ＶＶ内に突き出ている。ロック要素６が図１４ａの位置に到達するとすぐに、駆出作用力保存手段４によって、または対応する曲り部分によってロック部分Ｖの方向に移動される。ロック要素６が予備ロック部分ＶＶに突き出る歯部１２に当接すると、粘着性の材料内で回転可能に取り付けられているギヤ１１が反時計回り方向に非常にゆっくりと移動する範囲において、駆出作用力保存手段４によって起動されるロック要素６は制動される。ギヤ１１が約３０°移動すると、ロック要素６はもはや歯部１２と接触せず、図１５に示すロック部分Ｖへと移動することで、可動家具部分２はその閉位置ＳＳに存在する。ロック要素６が比較的に長く予備ロック部分ＶＶに存在するため、制動要素１０の回転運動のそれぞれの持続時間に応じて、可動家具部分２が閉位置を越えて押し込まれると（不正な操作）、ロック要素が通過押込回避部分Ｄへと移動でき、そこから不正な操作の終了後に実際のロック位置Ｖに移動できる。
【００３１】
このようにして、本発明は、可動家具部分が通過押込位置に押し込まれた時に、通過押込回避部分Ｄをロック要素６のために利用できるよう、ロック要素６がロック部分Ｖにて直ちにロックされず、可動家具部分２の閉位置ＳＳに到達する前に、予備ロック部分ＶＶでまだロックされている範囲において、通過押込位置への移動に対する改良された保護を提供する。
【図１】
2016514576.tif 000003
【図２】
2016514576.tif 000004
【図３】
2016514576.tif 000005
【図４】
2016514576.tif 000006
【図５】
2016514576.tif 000007
【図５ａ】
2016514576.tif 000008
【図５ｂ】
2016514576.tif 000009
【図６】
2016514576.tif 000010
【図６ａ】
2016514576.tif 000011
【図６ｂ】
2016514576.tif 000012
【図７】
2016514576.tif 000013
【図７ａ】
2016514576.tif 000014
【図８】
2016514576.tif 000015
【図９】
2016514576.tif 000016
【図１０】
2016514576.tif 000017
【図１１】
2016514576.tif 000018
【図１２】
2016514576.tif 000019
【図１３】
2016514576.tif 000020
【図１４】
2016514576.tif 000021
【図１４ａ】
2016514576.tif 000022
【図１５】
2016514576.tif 000023
【国際調査報告】
2016514576.tif 000024
2016514576.tif 000025
2016514576.tif 000026
2016514576.tif 000027
2016514576.tif 000028
2016514576.tif 000029